(57)【要約】      （修正有）【課題】容器に蓄えられた液体中に吸水素材からなる芯材の一端を浸し、該芯材の他の一端を植木鉢内の植物の土壌の上部又は内部に置いて該芯材により容器内の液体を吸い上げて植物に液体をわずかずつ連続的に補給するようにした植物への液体補給装置において、雨水が液体に混じらないようにすることで液体が雨により薄まって肥料の濃度等が変わってしまったり汚れたりすることがなく、また一旦補給した液体は二度と容器内に戻らないようにした植物への液体補給装置を提供する。【解決手段】液体２４を蓄える容器２２の底面に、外部２９に連通しその上端３０ａが液体の液面２４ａより上方に位置する内筒３０を水密に立設し、芯材２５の一端２５ａを容器の底面付近において液体に浸すと共に、該芯材を内筒内を通して他の一端２５ｂを容器の底面から外部に引き出すようにし、かつ容器の上部に開閉式の液体補給蓋３１を設けた構成を特徴とする。【選択図】図２
2007068524.tif 000002
【特許請求の範囲】
【請求項１】
容器に蓄えられた液体中に吸水素材からなる芯材の一端を浸し、該芯材の他の一端を植木鉢内の植物の土壌の上部又は内部に置いて該芯材により前記容器内の液体を吸い上げて前記植物に液体をわずかずつ連続的に補給するようにした植物への液体補給装置において、前記液体を蓄える容器の底面に、外部に連通しその上端が前記液体の液面より上方に位置する内筒を水密に立設し、前記芯材の一端を前記容器の底面付近において前記液体に浸すと共に、該芯材を前記内筒内を通して前記他の一端を前記容器の底面から外部に引き出すように構成したことを特徴とする植物への液体補給装置。
【請求項２】
容器に蓄えられた液体中に吸水素材からなる芯材の一端を浸し、該芯材の他の一端を植木鉢内の植物の土壌の上部又は内部に置いて該芯材により前記容器内の液体を吸い上げて前記植物に液体をわずかずつ連続的に補給するようにした植物への液体補給装置において、前記液体を蓄える容器の底面に、外部に連通しその上端が前記液体の液面より上方に位置する内筒を水密に立設し、前記芯材の一端を前記容器の底面付近において前記液体に浸すと共に、該芯材を前記内筒内を通して前記他の一端を前記容器の底面から外部に引き出すように構成し、かつ前記容器の上部に開閉式の液体補給蓋を設けたことを特徴とする植物への液体補給装置。
【請求項３】
容器に蓄えられた液体中に吸水素材からなる芯材の一端を浸し、該芯材の他の一端を植木鉢内の植物の土壌の上部又は内部に置いて該芯材により前記容器内の液体を吸い上げて前記植物に液体をわずかずつ連続的に補給するようにした植物への液体補給装置において、前記液体を蓄える容器の底面に、外部に連通しその上端が前記液体の液面より上方に位置する内筒を水密に立設し、前記芯材の一端を前記容器の底面付近において前記液体に浸すと共に、該芯材を前記内筒内を通して前記他の一端を前記容器の底面から外部に引き出すように構成し、かつ前記容器の形状を愛玩動物又は植物等の置物形状としたことを特徴とする植物への液体補給装置。
【請求項４】
容器に蓄えられた液体中に吸水素材からなる芯材の一端を浸し、該芯材の他の一端を植木鉢内の植物の土壌の上部又は内部に置いて該芯材により前記容器内の液体を吸い上げて前記植物に液体をわずかずつ連続的に補給するようにした植物への液体補給装置において、前記植木鉢の底面に水抜き穴を形成すると共に該植木鉢の外周部をその内部とは独立した水密の二重構造に形成して前記容器を前記植木鉢と一体的に設け、該容器内に前記液体を蓄えてその底面付近において前記芯材の一端を前記液体に浸すと共に、該芯材を該容器内を通して前記他の一端を前記植木鉢内の前記土壌の上部又は内部に置くように構成したことを特徴とする植物への液体補給装置。
【請求項５】
容器に蓄えられた液体中に吸水素材からなる芯材の一端を浸し、該芯材の他の一端を植木鉢内の植物の土壌の上部又は内部に置いて該芯材により前記容器内の液体を吸い上げて前記植物に液体をわずかずつ連続的に補給するようにした植物への液体補給装置において、前記植木鉢の底面に水抜き穴を形成すると共に該植木鉢の外周部をその内部とは独立した水密の二重構造に形成して前記容器を前記植木鉢と一体的に設け、該容器内に前記液体を蓄えてその底面付近において前記芯材の一端を前記液体に浸すと共に、該芯材を該容器内を通して前記他の一端を前記植木鉢内の前記土壌の上部又は内部に置くように構成し、かつ前記容器と前記植木鉢の上部外周を覆う蓋を設け、該蓋の一部に液体補給口を形成したことを特徴とする液体補給装置。
【請求項６】
容器に蓄えられた液体中に吸水素材からなる芯材の一端を浸し、該芯材の他の一端を植木鉢内の植物の土壌の上部又は内部に置いて該芯材により前記容器内の液体を吸い上げて前記植物に液体をわずかずつ連続的に補給するようにした植物への液体補給装置において、前記植木鉢の底面に水抜き穴を形成すると共に該植木鉢の外周部をその内部とは独立した水密の二重構造に形成して前記容器を前記植木鉢と一体的に設け、該容器内に前記液体を蓄えてその底面付近において前記芯材の一端を前記液体に浸すと共に、該芯材を該容器内を通して前記他の一端を前記植木鉢内の前記土壌の上部又は内部に置くように構成し、かつ前記容器の側面に外部から前記液体の残量を観察するための透視窓を設けたことを特徴とする植物への液体補給装置。
【発明の詳細な説明】
【技術分野】
【０００１】本発明は、植物への液体補給装置に係り、特に容器に蓄えられた液体中に吸水素材からなる芯材の一端を浸し、該芯材の他の一端を植木鉢内の植物の土壌の上部又は内部に置いて該芯材により容器内の液体を吸い上げて植物に液体をわずかずつ連続的に補給するようにした植物への液体補給装置において、容器内の液体が芯材を通してその内部の内筒を通って容器の真下から外部に流出するようにし、また雨水が液体に混じらないようにすることで液体が雨により薄まって肥料の濃度等が変わってしまったり汚れたりすることがなく、また一旦補給した液体は二度と容器内に戻らないようにし、更にはこの装置を植木鉢の土壌の上に置くだけで、一見して何をしているか分からないように見えながら非常にスマートに少量ずつ連続的に植物に液体を補給できるようにし、しかも容器を愛玩動物や植物の置物の形にすることによって全く違和感なく優雅に植物への液体補給ができるようにして趣味感を向上させ、また植木鉢の外周に一体的に容器を形成することによって、植木鉢自体が植物への液体補給装置を備えるようにして、長期の外出や旅行等の場合にも他人の力を借りることなく安心して植物への液体補給ができるようにした、画期的な植物への液体補給装置に関する。
【背景技術】
【０００２】従来市販されている植物への液体補給装置１について、図１６及び図１７により説明すると、まず図１６に示す植物への液体補給装置１は、容器２が植木鉢３の下部３ａに該植木鉢と一体的に形成されており、容器２に蓄えられた液体４中に吸水素材からなる芯材５の一端５ａを浸し、該芯材の他の一端５ｂを植木鉢３内の植物６の土壌８の上部８ａ又は内部８ｂに置いて該芯材５により容器２内の液体４を吸い上げて植物６の根６ａに液体４をわずかずつ連続的に補給するようにしたものであり、植木鉢３の底面３ｂには、複数の水抜き穴３ｃが形成されており、土壌８中の水分は雨水も含めてすべてこの水抜き穴３ｃから流出して、容器２内に戻されるように構成されている。また植木鉢３の下部側面３ｄには、大きな凹部３ｅが形成され、該凹部の底面、即ち植木鉢３の底面３ｂには吸水穴３ｆが形成され、外部からじょうろ９により矢印Ａの如く容器２内に液体４を補給できるようになっている。【０００３】しかし、該従来例に係る植物への液体補給装置１によると、容器２内の液体４は、芯材５によりその一端５ａで液体４を吸い上げ、他の一端５ｂが土壌８の内部８ｂに置かれているので、ここにある植物６の根６ａにわずかずつ連続的に供給されるという基本的な作用は順調に行われるが、容器２が植木鉢３に対して水密に形成されておらず、また植木鉢３から容器２に連通する水抜き穴３ｃが設けられているので、土壌８中の水分の余りは、すべで水抜き穴３ｃから容器２内に戻され、液体４が汚れるばかりでなく、液体４の肥料の濃度等が変化してしまい、植物６に最も適した肥料濃度の液体４を安定して植物６に供給することができないという欠点があった。
特に植木鉢３を屋外に置くと、雨が降った場合には当然雨水が土壌８にしみ込むが、この雨水は土壌８中を通って、そのほとんど全量が水抜き穴３ｃから容器２内に流入し、容器２が一杯になると、余分の雨水は給水穴３ｆから外部に流出するようになっているから、容器２内の液体４は枯れないものの、該液体内の肥料濃度等の液体４の成分は雨の降るごとに変化してしまい、安定した肥料濃度の液体４を植物６に供給できないという欠点があった。【０００４】また図１７に示す植物への液体補給装置１１は、非常に単純な構成のものであり、単なる平たいボトル状の容器１２であって、上部１２ａに開口部１２ｂが形成され、該開口部に植木鉢３の土壌８に該容器を固定するためのステー１３が抜け出ないようにそのボス部１３ａが取り付けられ、該ステーの一端１３ｂは土壌８に突き刺して固定するように構成され、芯材５の一端５ａは容器１２内の液体４中に浸され、他の一端５ｂは土壌８の上部８ａに置かれて、容器１２内の液体４が芯材５により吸い上げられて他の一端５ｂから植木鉢３内の土壌８、即ち植物６に供給されるように構成されている。【０００５】しかし、該従来例に係る植物への液体補給装置１１によると、容器１２がただ単に植木鉢３の側面にぶら下げるように取り付けるものであるから、いかにも「液体補給装置１１を取り付けている。」と誇示しているように見え、植木鉢３及び植物６本来の美しさや形状を異なったものに見せてしまい、外観上余り優れていないものであった。また芯材５も植木鉢３の上から見えてしまうので、体裁が悪く、いかにも「液体を補給している。」ことを誇示又は主張しているように見えて好ましくなかった。【０００６】なお、本願出願人及び発明者は、本願発明に関する公知特許文献及び非特許文献を知らないので、その記載を省略する。
【発明の開示】
【発明が解決しようとする課題】
【０００７】本発明は、上記した従来技術の欠点を除くためになされたものであって、その目的とするところは、容器に蓄えられた液体中に吸水素材からなる芯材の一端を浸し、該芯材の他の一端を植木鉢内の植物の土壌の上部又は内部に置いて該芯材により容器内の液体を吸い上げて植物に液体をわずかずつ連続的に補給するようにした植物への液体補給装置において、液体を蓄える容器の底面に、外部に連通しその上端が液体の液面より上方に位置する内筒を水密に立設し、芯材の一端を容器の底面付近において液体に浸すと共に、該芯材を内筒内を通して他の一端を容器の底面から外部に引き出すように構成したことによって、植木鉢に置いてその植物に液体を補給する際に、外部からでは何をしているのか分からない状態で植物に液体を補給できるようにすることであり、またこれによって植木鉢やそこに植えられた植物の形状や姿に大きな変更をもたらすことなく、極めて順調に植物への液体の補給ができるようにし、旅行等の際にかなり長期間安心して外出できるようにすることである。【０００８】また他の目的は、上記構成に加え、容器の上部に開閉式の液体補給蓋を設けることによって、容器の上方から中の液体の量を見ながら適量の液体を簡単に補給できるようにすると共に、通常は該液体補給蓋を閉めておくことによって雨水等が容器内に入らないようにして液体の肥料濃度等が変化しないようにすることであり、またこれによって植物への液体補給装置の使用性を大幅に向上させることである。【０００９】また他の目的は、上記構成に加えて、容器の形状を愛玩動物又は植物等の置物形状とすることによって、植物への液体補給装置を植木鉢に置いた場合に、外部からでは一体何をしているのか全く分からないようでありながら、実は植木鉢内の植物に液体の補給が完全にできるようにすることであり、またこれによって全く違和感なく優雅に植物への液体補給ができるようにして趣味感を向上させると共に、植木鉢や植物の雰囲気や美的外観を損ねることがないようにすることである。【００１０】また他の目的は、上記植物への液体補給装置において、植木鉢の底面に水抜き穴を形成すると共に該植木鉢の外周部をその内部とは独立した水密の二重構造に形成して容器を植木鉢と一体的に設け、該容器内に液体を蓄えてその底面付近において芯材の一端を液体に浸すと共に、該芯材を該容器内を通して他の一端を植木鉢内の土壌の上部又は内部に置くように構成することによって、植木鉢自体で植物への液体補給装置を兼ねることができるようにすると共に外部からでは液体補給装置を内蔵していることが容易には分からないようにして、不思議感を増大させて植木鉢の魅力を向上させることであり、またこれによって植木鉢の中の土壌を通り抜けた雨水は水抜き穴からその全量が植木鉢の下方の外部に流出し、決して容器内には戻らないようにして、雨水等により容器内の液体の肥料濃度等が全く影響を受けないようにすることである。【００１１】また他の目的は、上記植物への液体補給装置において、容器と植木鉢の上部外周を覆う蓋を設け、該蓋の一部に液体補給口を形成することによって、液体の補給が簡単にできるようにすることであり、またこれによって植木鉢内の植物への液体補給が途切れることなく、継続してなされるようにすることである。【００１２】また他の目的は、上記植物への液体補給装置において、容器の側面に外部から液体の残量を観察するための透視窓を設けることによって、外部から容器内の液体の量が容易に確認できるようにすることであり、またこれによって容器内の液体の不足等をいち早く確認できるようにして、容器内の液体が枯れることがないようにすることである。
【発明の効果】
【００１３】本発明は、上記のように容器に蓄えられた液体中に吸水素材からなる芯材の一端を浸し、該芯材の他の一端を植木鉢内の植物の土壌の上部又は内部に置いて該芯材により容器内の液体を吸い上げて植物に液体をわずかずつ連続的に補給するようにした植物への液体補給装置において、液体を蓄える容器の底面に、外部に連通しその上端が液体の液面より上方に位置する内筒を水密に立設し、芯材の一端を容器の底面付近において液体に浸すと共に、該芯材を内筒内を通して他の一端を容器の底面から外部に引き出すように構成したので、植木鉢に置いてその植物に液体を補給する際に、外部からでは何をしているのか分からない状態で植物に液体を補給できるという効果があり、またこの結果植木鉢やそこに植えられた植物の形状や姿に大きな変更をもたらすことなく、極めて順調に植物への液体の補給ができる効果があり、旅行等の際にかなり長期間安心して外出できるという効果が得られる。【００１４】また上記構成に加え、容器の上部に開閉式の液体補給蓋を設けたので、容器の上方から中の液体の量を見ながら適量の液体を簡単に補給できる効果があると共に、通常は該液体補給蓋を閉めておくことによって雨水等が容器内に入らず、液体の肥料濃度等が変化しないという効果があり、またこの結果植物への液体補給装置の使用性を大幅に向上させることができる効果がある。【００１５】また上記構成に加えて、容器の形状を愛玩動物又は植物等の置物形状としたので、植物への液体補給装置を植木鉢に置いた場合に、外部からでは一体何をしているのか全く分からないようでありながら、実は植木鉢内の植物に液体の補給が完全にできるという効果があり、またこの結果全く違和感なく優雅に植物への液体補給ができ、趣味感を向上させる効果があると共に、植木鉢や植物の雰囲気や美的外観を損ねることがないという画期的な効果がある。【００１６】また上記植物への液体補給装置において、植木鉢の底面に水抜き穴を形成すると共に該植木鉢の外周部をその内部とは独立した水密の二重構造に形成して容器を植木鉢と一体的に設け、該容器内に液体を蓄えてその底面付近において芯材の一端を液体に浸すと共に、該芯材を該容器内を通して他の一端を植木鉢内の土壌の上部又は内部に置くように構成したので、植木鉢自体で植物への液体補給装置を兼ねることができると共に外部からでは液体補給装置を内蔵していることが容易には分からないため、不思議感を増大させて植木鉢の魅力を向上させることができる効果があり、またこの結果植木鉢の中の土壌を通り抜けた雨水は水抜き穴からその全量が植木鉢の下方の外部に流出し、決して容器内には戻らないため、雨水等により容器内の液体の肥料濃度等が全く影響を受けないという効果がある。【００１７】また上記植物への液体補給装置において、容器と植木鉢の上部外周を覆う蓋を設け、該蓋の一部に液体補給口を形成したので、液体の補給が簡単にできる効果があり、またこの結果植木鉢内の植物への液体補給が途切れることなく、継続してなされるようにすることができる効果がある。【００１８】また上記植物への液体補給装置において、容器の側面に外部から液体の残量を観察するための透視窓を設けたので、外部から容器内の液体の量が容易に確認できる効果があり、またこの結果容器内の液体の不足等をいち早く確認でき、容器内の液体を枯らすおそれがないという効果がある。
【課題を解決するための手段】
【００１９】要するに本発明（請求項１）は、容器に蓄えられた液体中に吸水素材からなる芯材の一端を浸し、該芯材の他の一端を植木鉢内の植物の土壌の上部又は内部に置いて該芯材により前記容器内の液体を吸い上げて前記植物に液体をわずかずつ連続的に補給するようにした植物への液体補給装置において、前記液体を蓄える容器の底面に、外部に連通しその上端が前記液体の液面より上方に位置する内筒を水密に立設し、前記芯材の一端を前記容器の底面付近において前記液体に浸すと共に、該芯材を前記内筒内を通して前記他の一端を前記容器の底面から外部に引き出すように構成したことを特徴とするものである。【００２０】また本発明（請求項２）は、容器に蓄えられた液体中に吸水素材からなる芯材の一端を浸し、該芯材の他の一端を植木鉢内の植物の土壌の上部又は内部に置いて該芯材により前記容器内の液体を吸い上げて前記植物に液体をわずかずつ連続的に補給するようにした植物への液体補給装置において、前記液体を蓄える容器の底面に、外部に連通しその上端が前記液体の液面より上方に位置する内筒を水密に立設し、前記芯材の一端を前記容器の底面付近において前記液体に浸すと共に、該芯材を前記内筒内を通して前記他の一端を前記容器の底面から外部に引き出すように構成し、かつ前記容器の上部に開閉式の液体補給蓋を設けたことを特徴とするものである。【００２１】また本発明（請求項３）は、容器に蓄えられた液体中に吸水素材からなる芯材の一端を浸し、該芯材の他の一端を植木鉢内の植物の土壌の上部又は内部に置いて該芯材により前記容器内の液体を吸い上げて前記植物に液体をわずかずつ連続的に補給するようにした植物への液体補給装置において、前記液体を蓄える容器の底面に、外部に連通しその上端が前記液体の液面より上方に位置する内筒を水密に立設し、前記芯材の一端を前記容器の底面付近において前記液体に浸すと共に、該芯材を前記内筒内を通して前記他の一端を前記容器の底面から外部に引き出すように構成し、かつ前記容器の形状を愛玩動物又は植物等の置物形状としたことを特徴とするものである。【００２２】また本発明（請求項４）は、容器に蓄えられた液体中に吸水素材からなる芯材の一端を浸し、該芯材の他の一端を植木鉢内の植物の土壌の上部又は内部に置いて該芯材により前記容器内の液体を吸い上げて前記植物に液体をわずかずつ連続的に補給するようにした植物への液体補給装置において、前記植木鉢の底面に水抜き穴を形成すると共に該植木鉢の外周部をその内部とは独立した水密の二重構造に形成して前記容器を前記植木鉢と一体的に設け、該容器内に前記液体を蓄えてその底面付近において前記芯材の一端を前記液体に浸すと共に、該芯材を該容器内を通して前記他の一端を前記植木鉢内の前記土壌の上部又は内部に置くように構成したことを特徴とするものである。【００２３】また本発明（請求項５）は、容器に蓄えられた液体中に吸水素材からなる芯材の一端を浸し、該芯材の他の一端を植木鉢内の植物の土壌の上部又は内部に置いて該芯材により前記容器内の液体を吸い上げて前記植物に液体をわずかずつ連続的に補給するようにした植物への液体補給装置において、前記植木鉢の底面に水抜き穴を形成すると共に該植木鉢の外周部をその内部とは独立した水密の二重構造に形成して前記容器を前記植木鉢と一体的に設け、該容器内に前記液体を蓄えてその底面付近において前記芯材の一端を前記液体に浸すと共に、該芯材を該容器内を通して前記他の一端を前記植木鉢内の前記土壌の上部又は内部に置くように構成し、かつ前記容器と前記植木鉢の上部外周を覆う蓋を設け、該蓋の一部に液体補給口を形成したことを特徴とするものである。【００２４】また本発明（請求項６）は、容器に蓄えられた液体中に吸水素材からなる芯材の一端を浸し、該芯材の他の一端を植木鉢内の植物の土壌の上部又は内部に置いて該芯材により前記容器内の液体を吸い上げて前記植物に液体をわずかずつ連続的に補給するようにした植物への液体補給装置において、前記植木鉢の底面に水抜き穴を形成すると共に該植木鉢の外周部をその内部とは独立した水密の二重構造に形成して前記容器を前記植木鉢と一体的に設け、該容器内に前記液体を蓄えてその底面付近において前記芯材の一端を前記液体に浸すと共に、該芯材を該容器内を通して前記他の一端を前記植木鉢内の前記土壌の上部又は内部に置くように構成し、かつ前記容器の側面に外部から前記液体の残量を観察するための透視窓を設けたことを特徴とするものである。
【発明を実施するための最良の形態】
【００２５】以下本発明を図面に示す実施例に基づいて説明する。まず図１から図７に示す本発明の第１実施例について説明すると、植物への液体補給装置２１は、容器２２に蓄えられた液体２４中に吸水素材からなる芯材２５の一端２５ａを浸し、該芯材の他の一端２５ｂを植木鉢２３内の植物２６の土壌２８の上部２８ａ又は内部２８ｂに置いて該芯材２５により容器２２内の液体２４を吸い上げて植物２６に液体２４をわずかずつ連続的に補給するようにした植物への液体補給装置であって、液体２４を蓄える容器２２の底面２２ａに、外部に連通しその上端３０ａが液体２４の液面２４ａより上方に位置する内筒３０を水密に立設し、芯材２５の一端２５ａを容器２２の底面２２ａ付近において液体２５に浸すと共に、該芯材２５を内筒３０内を通して他の一端２５ｂを容器２２の底面２２ａから外部２９に引き出すように構成したものである。【００２６】図１から図６に示す実施例では、内筒３０は容器２２の半径方向の中央に立設されている。内筒３０は、容器２２の底面２２ａに穴２２ｂがあくように、合成樹脂の一体成形により立設してもよく、またまず穴２２ｂを底面２２ａにあけておいて、ここに別部品としての内筒３０を接着剤により接着して固定して立設してもよい。なお、内筒３０は、必ずしも容器２２の半径方向の中央に立設する必要はなく、偏心した位置でもよく、また外周部２２ｃに近い位置に立設してもよい。
内筒３０の上端３０ａの高さは、液体２４の収容量が多くなるようにするためには、なるべく高い方が好ましく、容器２２の液体補給蓋３１を除く部分の略８０％以上の高さに設定されている。【００２７】液体補給蓋３１は、容器２２の上部２ｄに形成されたおねじ２２ｅにめねじ３１ｅが螺合するようにして、開閉式となっている。即ち、通常は閉めておいて、液体２４を補給するときにのみ外して開口部２２ｆから液体２４を補給できるようになっている。【００２８】芯材２５は、その断面は円形、楕円形等どのような形でもよいが、一般に断面長方形状に形成されており、その厚さと幅の積である断面積により液体２４の単位時間当りの供給量が決まるので、図５に示すように、断面積が大（左図）であれば給水量も大で、断面積が中（中図）であれば給水量も中で、断面積が小（右図）であれば給水量も小であるから、この断面積の調節により単位時間当りの液体２４の供給量を調節することができ、各種の断面積の芯材２５を用意しておけば、外出時間の長短により適宜な断面積の芯材２５を選択して用い、過不足なく液体２４を植物２６に供給することができる。
また容器２２の大きさによって、液体２４の最大供給量が決まるので、芯材２５と容器２２の組合せにより単位時間当りの液体２４の供給量と、最大供給量、即ち液体供給可能日数が定まる。
また図１５に示すように、広幅の芯材２５に、手作業で切り出せるようなミシン目２５ｃを入れておいて、このミシン目２５ｃから１本又は複数本の芯材２５を切り出すようにしてもよい。【００２９】次に、本発明の第２実施例について図８から図１０により説明する。この実施例に係る植物への液体補給装置２１は、容器２２の形状を愛玩動物の一例たる亀３２又は植物の一例たる茸３３等の置物形状としたものである。
その他の構成、即ち芯材２５、一端２５ａ、他の一端２５ｂ、内筒３０及び液体供給蓋３１等は第１実施例と同様であるので、同一の部分には図面に同一の符号を付してその詳細な説明は省略する。なお、液体供給蓋３１は、ねじ式ではなく、ポリプロピレン樹脂等の軟質の薄い蓋で構成されており、容器２２の液体補給口（図示せず）に対して上方に引き抜くことで外し、下方に押し込むことで装着することができるタイプの蓋が用いられている。【００３０】次に、本発明の第３実施例について図１２から図１５により説明する。植物２６への液体補給装置２１は、植木鉢２３の底面２３ａに水抜き穴２３ｂを形成すると共に該植木鉢２３の外周部２３ｃをその内部２３ｄとは独立した水密の二重構造に形成して容器２２を植木鉢２３と一体的に設け、該容器内に液体２４を蓄えてその底面付近において芯材２５の一端２５ａを液体２４に浸すと共に、該芯材２５を該容器２２内を通して他の一端２５ｂを植木鉢２３内の土壌２８の上部２８ａ又は内部２８ｂに置くように構成し、更に容器２２と植木鉢２３の上部の外周部２３ｃを覆う蓋３４を設け、該蓋３４の一部に蓋３１付きの液体補給口３４ａを形成したものである。
蓋３４は、その筒状部３４ａが植木鉢２３にゆるく嵌合するように構成されており、この隙間に芯材２５が挟まれて折り返され、容器２２内と植木鉢２３内にまたがるように装着されるようになっている。
また容器２２の側面２２ｄに外部から液体２４の残量を観察するための透視窓３５が設けられている。【００３１】植木鉢２３に対して容器２２を水密に保つために、容器２２の下部にシール材３６が円環状に充填されており、容器２２の筒状部２２ｈに嵌合するようにベル状の土台３８が嵌め込まれて固定されている。【００３２】本発明は、上記のように構成されており、以下その作用について説明する。まず本発明の第１実施例の作用について説明すると、図１から図７において、まず芯材２５を適宜な厚さ及び幅に切断して作成し、他の一端２５ｂから容器２２の穴２２ｂ、内筒３０に差し込み、その上端３０ａから容器２２内に押し出し、他の一端２５ａがちょうど容器２２の底面２２ａに触れるまで下げて、芯材２５の準備が完了する。
次いで、植物への液体補給装置２１の容器２２に液体２４を注入又は補充するには、液体補給蓋３１を弛めて容器２２から外し、開口部２２ｆから液体２４の一例たる水を水道の蛇口（図示せず）又はじょうろ（図１６参照）から流し込み、必要に応じて肥料（図示せず）も水に追加して肥料を含んだ液体２４とし、図２に示すように、内筒３０の上端３０ａよりも少し低い位置に液面２４ａが来るように調節する。
そしてこの液体２４の量が補充なしに使える液体２４の全量となる。そして芯材２５の単位時間当りの液体補給量でこの液体２４の量を割った答えが補充なしに液体２４を土壌２８等に供給し続けることができる時間となる。この時間を２４で割れば連続補給可能な日数となり、不在期間を考慮してこの液体２４の全量、即ち植物への液体補給装置２１の大きさ等が決まる。【００３３】液体２４は、図２及び図６に示すように、容器２２内において、毛細管現象により一端２５ａから芯材２５に浸透して矢印Ｂの如く吸い上げられ、内筒３０の中を矢印Ｄの如く下降して、該内筒から外部２９に出て、他の一端２５ｂから少しずつ連続的に土壌２８等に供給される。そして液面２４ａは、次第に下がり、ついには液体２４は全部外部２９に流出してしまうが、この間植木鉢２３に植えられた植物２６の土壌２８に液体２４が連続的にわずかずつ供給され続ける。【００３４】この場合、本発明に係る植物への液体補給装置２１においては、内筒３０の穴２２ｂは容器２２の底面２２ａに開口しているので、芯材２５の他の一端２５ｂは外部からは見えず、従って植物への液体補給装置２１は、図７に示すように、植木鉢２３の土壌２８の上に単におくだけでよく、芯材２５は外部上方からは全く見えないので、何をしているか分からない状態で、極めて体裁よく植木鉢２３内の植物２６に液体２４を連続的にわずかずつ長時間にわたって供給し続けることができる。
よって、植木鉢２３の所有者は、安心してかなり長期間（数日程度）の不在、即ち旅行等が可能となる。【００３５】なお、液体２４が容器２２から流出する分だけ容器２２内には空気が流入しなければならないが、この空気は、内筒３０の下方の穴２２ｂから上方に向けて自然に流入するので、液体２４の液面２４ａは抵抗なく下がり続けることができ、液体２４を一定量ずつ連続的に植物２６に供給することができる。【００３６】また容器２２内の液体２４がなくなったら、再び液体補給蓋３１をあけて同じ液体２４を補給すれば、植物への液体補給装置２１は繰り返し何らの支障もなく使用することができる。【００３７】芯材２５の単位時間当りの液体供給量を変えたい場合には、図５に示すように、芯材２５の断面積を変えればよく、そのためには、図１５に示すように、芯材２５のミシン目２５ｃからの切り出し方を変え、例えば今まで１本だったものを、２本分を１本となるように切り出せば、断面積が２倍、即ち単位時間当りの液体供給量が２倍の芯材２５を得ることができる。或いは芯材２５の厚さの大きいものを使用することももちろん可能である。【００３８】また植木鉢２３を屋外に置いても、雨は容器２２内には全く入らないので、液体２４が雨により薄められたりすることが皆無であり、液体２４の肥料濃度等が不本意に変化するおそれはなく、常に安定した肥料濃度の液体２４を植物２６に供給することができる。【００３９】次に、本発明の第２実施例に係る植物への液体補給装置２１の作用について説明すると、図８から図１０において、この実施例においては、容器２２が図８のものでは、亀３２の形状をしており、また図９のものでは茸３３の形状をしており、その中身の構造は第１実施例のものと全く同一であり、内筒３０が容器２２の底面２２ａに水密に立設され、芯材２５も同様に装着されているので、植物２６への液体補給作用は全く同じである。【００４０】異なる点は、第１実施例のものは、明らかにボトル状のものであるから、例えば植木鉢２３に置くと、多少の違和感が生ずることは否めないが、本第２実施例では、図１０に示すように、例えば亀３２の形をした植物への液体補給装置２１を植木鉢２３に置いた場合には、違和感がほとんどなく、むしろ植木鉢２３に亀の置物が置いてあるとの印象を与え、微笑ましい光景となり、このような微笑ましい光景で植物２６に対する液体２４の補給が自動的に安心して長時間にわたった行えることは、まさに従来技術では考えられなかった画期的なことである。【００４１】また液体２４の容器２２への補給は、液体補給蓋３１を外して液体２４をここから容器２２に注入すればよい。注入が終わったら液体補給蓋３１を閉めればすぐに植物への液体補給装置２１は使用可能状態となる。液体２４の更なる補給も同様に行うことができる。【００４２】また植木鉢２３を屋外に置いても、雨は容器２２内には全く入らないので、液体２４が雨により薄められたりすることが皆無であり、液体２４の肥料濃度等が不本意に変化するおそれはなく、常に安定した肥料濃度の液体２４を植物２６に供給することができる。【００４３】次に、本発明の第３実施例に係る植物への液体補給装置２１の作用について説明すると、図１２から図１４において、この実施例に係る液体補給装置２１では、図６に示すように、土台３８に容器２２と一体の植木鉢２３を載せて組み合わせ、液体２４を少し入れたところで（液体２４はもちろん後から入れてもよい。）、矢印Ｄの如く芯材２５の一端２５ａを容器２２内に入れて液体２４に浸し、他の一端２５ｂを植木鉢２３の外周部２３ｃをまたがせて植木鉢２３内の適所に垂れ下がるようにセットする。この芯材２５は、図示の実施例では円周方向に１８０度隔てて２本用いているので、図中右側の芯材２５についても同様にセットする。【００４４】芯材２５のセットが終わったら、円環状の蓋３４を矢印Ｅの如く植木鉢２３と容器２２の双方にまたがるように被せて、芯材２５をゆるく挟むように軽く押し込んで固定する。そして蓋３４の液体補給蓋３１を外してじょうろ等により液体補給口３４ａか必要量の液体１４を注入して補給する。こうして図１１に示すように植物への液体補給装置２１付きの植木鉢２３が完成する。【００４５】そして適量の土壌２８を植木鉢２３内に入れて植物２６を該土壌に植え込めば、液体２４を含んだ芯材２５の他の一端２５ｂが左側は土壌２８の上部２８ａに、他の芯材２５の他の一端２５ｂは土壌２８の内部２８ｂに配置され、夫々が容器２２内の液体２４を吸い上げて、わずかずつ連続的に植物２６へ該液体を供給し続けることができる。【００４６】容器２２は、植木鉢２３に対してシール材３６により水密に配設されているので、植木鉢２３をたとえ屋外に置いて、雨が降った場合でも、土壌２８内にしみこんで通過し、水抜き穴２３ｂからその全量が滴下してまうので、容器２２内に雨水が入ることはなく、従って植木鉢２３が長期間雨の中に置かれても、容器２２内の液体２４の肥料濃度が変わることはなく、常に安定した肥料濃度の液体２４を植物２６に供給することができる。【００４７】また容器２２の側面２２ｇには、透視窓３５が設けられているので、容器２２内の液体２４の残量は容易に外部から目視することができるため、液体２４を枯らすことなく、適宜補給することができる。液体２４の更なる補給は、液体補給蓋３１を外して、液体補給口３４ａから容器２２内に補給すればよい。【００４８】このように、この実施例に係る植物への液体補給装置２１は、液体２４の容器２２と植木鉢２３とが一体化した画期的なものであり、従来にないスマートで実用的な植木鉢２３として、その商品価値は非常に高いものとなり、産業上の利用性の極めて大なる発明である。
【図面の簡単な説明】
【００４９】
【図１】図１から図７は本発明の第１実施例に係り、図１は植物への液体補給装置の斜視図である。
【図２】植物への液体補給装置の使用状態を示す部分破断斜視図である。
【図３】容器の部分破断斜視図である。
【図４】芯材の斜視図である。
【図５】芯材の断面積の大きさにより液体の単位時間当りの補給量が変わることを示す縦断面図である。
【図６】植物への液体補給装置の使用状態を示す縦断面図である。
【図７】植物が植えられた植木鉢に置かれた植物への液体補給装置の使用状態を示す縦断面図である。
【図８】図８から図１０は本発明の第２実施例に係り、図８は容器を亀の形状にした植物への液体補給装置の斜視図である。
【図９】容器を茸の形状にした植物への液体補給装置の斜視図である。
【図１０】植物が植えられた植木鉢に置かれた植物への液体補給装置の使用状態を示す斜視図である。
【図１１】図１１から図１４は本発明の第３実施例に係り、図１１は植物への液体補給装置の縦断面図である。
【図１２】植物への液体補給装置の分解縦断面図である。
【図１３】植物への液体補給装置の使用状態を示す斜視図である。
【図１４】植物への液体補給装置の使用状態を示す縦断面図である。
【図１５】芯材の切出し状態を示す斜視図である。
【図１６】図１６及び図１７は従来例に係り、図１６は植物への液体補給装置の使用状態を示す部分破断斜視図である。
【図１７】植物への液体補給装置の使用状態を示す斜視図である。
【符号の説明】
【００５０】２１    植物への液体補給装置
２２    容器
２２ａ  底面
２２ｄ  上部
２２ｇ  側面
２３    植木鉢
２３ａ  底面
２３ｂ  水抜き穴
２３ｃ  外周部
２４    液体
２４ａ  液面
２５    芯材
２５ａ  一端
２５ｂ  他の一端
２６    植物
２８    土壌
２８ａ  上部
２８ｂ  内部
２９    外部
３０    内筒
３０ａ  上端
３１    液体補給蓋
３２    愛玩動物の一例たる亀
３３    植物の一例たる茸
３４    蓋
３４ｂ  液体補給口
３５    透視窓
【図１】
2007068524.tif 000003
【図２】
2007068524.tif 000004
【図３】
2007068524.tif 000005
【図４】
2007068524.tif 000006
【図５】
2007068524.tif 000007
【図６】
2007068524.tif 000008
【図７】
2007068524.tif 000009
【図８】
2007068524.tif 000010
【図９】
2007068524.tif 000011
【図１０】
2007068524.tif 000012
【図１１】
2007068524.tif 000013
【図１２】
2007068524.tif 000014
【図１３】
2007068524.tif 000015
【図１４】
2007068524.tif 000016
【図１５】
2007068524.tif 000017
【図１６】
2007068524.tif 000018
【図１７】
2007068524.tif 000019